(57)【要約】【課題】大きさの異なる容器にも自在に装着できるとともに、複数のドリップバッグを一度に抽出可能とすることで、高い利便性を実現したドリップバッグ用保持具を提供する。【解決手段】ドリップバッグを保持して、ドリップバッグから飲料用容器内に飲料を抽出するドリップバッグ用保持具１である。ドリップバッグの係止片が係止される枠体２と、枠体２の周囲に配設され、飲料用容器の開口部縁部に係止される保持部１０と、を具備する。【選択図】図１
0003152662.tif 000002
【実用新案登録請求の範囲】
【請求項１】
ドリップバッグを保持して、該ドリップバッグから飲料用容器内に飲料を抽出するドリップバッグ用保持具であって、
前記ドリップバッグの係止片が係止される枠体と、該枠体の周囲に配設され、前記飲料用容器の開口部縁部に係止される保持部材と、を具備することを特徴とするドリップバッグ用保持具。
【請求項２】
前記保持部材が、前記枠体に対し回動自在に装着されている請求項１記載のドリップバッグ用保持具。
【請求項３】
前記保持部材が、大きさの異なる飲料用容器の開口部に対応可能な調整機構を備える請求項１または２記載のドリップバッグ用保持具。
【請求項４】
前記保持部材が、前記枠体に対し、少なくとも３箇所以上にて配設されている請求項１〜３のうちいずれか一項記載のドリップバッグ用保持具。
【請求項５】
前記枠体が、複数のドリップバッグを保持可能な大きさを有する請求項１〜４のうちいずれか一項記載のドリップバッグ用保持具。
【考案の詳細な説明】
【技術分野】
【０００１】
本考案は、大きさの異なる容器にも自在に装着することが可能で、さらに、複数のドリップバッグを一度に抽出することができるドリップバッグ用保持具に関する。
【背景技術】
【０００２】
従来より、上部より熱湯を注ぐことで、袋内に収容させた抽出成分を抽出することができるドリップバッグが知られている。一般的なドリップバッグは、透水性シートからなる袋体と、袋体に装着された、カップの縁に袋体を係止する係止片とからなり、袋体の上部を開口させ、かかる開口より熱湯を注ぐことで、抽出成分を容器内に抽出することができるものである。また、通常、ドリップバッグの袋内には、コーヒーや紅茶、緑茶等の抽出粉が収容されている。
【０００３】
また、ドリップバッグを装着する抽出具としては、例えば、特許文献１に、コーヒー抽出液のコップ内での溜り具合を容易に目視でき、コーヒーを溢れさせることがなく使い易いコーヒー抽出具として、挽かれたコーヒー粉を貯えて注がれた湯でコーヒー成分を抽出して下方から注出するドリッパーと、同ドリッパーを高い位置に取り外し自在且つドリッパーの下部が下に露出するように支持するドリッパー受部を有するスタンドとからなり、スタンドが支持したドリッパーの注出口から間隔を離した下方位置にコーヒー抽出液を受けるコップを載置でき且つその載置位置へコップを出入れできる空間を確保したコーヒー抽出具が開示されている。
【０００４】
また、特許文献２には、ろ部材のみを交換すれば枠部材を反復継続して使用することができる飲料用ドリッパーとして、左右の側枠部に係合部を有する外枠体と、この外枠体の前記係合部と支点状態に係合する被係合部を有する内枠体と、この内枠体と前記外枠体をＸ字型状に組み合わせた状態に於いて、内枠体および外枠体の上枠部の複数個の係合突起に開いた状態で取り付けられるろ部材とから成る飲料用ドリッパーが開示されている。
【先行技術文献】
【特許文献】
【０００５】
【特許文献１】実用新案登録第３１１０１２０号公報
【特許文献２】実開平５−３９４２４号公報
【考案の概要】
【考案が解決しようとする課題】
【０００６】
しかしながら、上記特許文献１のコーヒー抽出具および特許文献２の飲料用ドリッパーは、大きさの異なる容器には装着しづらく、利便性の点で十分ではなかった。また、枠体に一個のドリップバッグしか装着することができないため、複数人分のコーヒー液を一度に抽出することはできなかった。
【０００７】
そこで、本考案の目的は、上記問題点を解消して、大きさの異なる容器にも自在に装着できるとともに、複数のドリップバッグを一度に抽出可能とすることで、高い利便性を実現したドリップバッグ用保持具を提供することにある。
【課題を解決するための手段】
【０００８】
上記課題を解決するために、本考案は、ドリップバッグを保持して、該ドリップバッグから飲料用容器内に飲料を抽出するドリップバッグ用保持具であって、
前記ドリップバッグの係止片が係止される枠体と、該枠体の周囲に配設され、前記飲料用容器の開口部縁部に係止される保持部材と、を具備することを特徴とするものである。
【０００９】
本考案のドリップバッグ用保持具においては、前記保持部材が、前記枠体に対し回動自在に装着されていることが好ましく、前記保持部材が、大きさの異なる飲料用容器の開口部に対応可能な調整機構を備えることも好ましい。
【００１０】
また、本考案のドリップバッグ用保持具においては、前記保持部材が、前記枠体に対し、少なくとも３箇所以上にて配設されていることが好ましく、前記枠体が、複数のドリップバッグを保持可能な大きさを有することも好ましい。
【考案の効果】
【００１１】
本考案によれば、ドリップバッグ用保持具を上記枠体と保持部材とからなる構成としたことで、保持部材に調整機構を設ければ大きさの異なる容器にも自在に装着することが可能であって、枠体の大きさの変更により、複数のドリップバッグを一度に装着して抽出することも可能な、利便性に優れたドリップバッグ用保持具を実現することが可能となった。
【図面の簡単な説明】
【００１２】
【図１】本考案のドリップバッグ用保持具の一例を示す全体斜視図である。
【図２】図１のドリップバッグ用保持具の使用状態を示す断面図である。
【図３】図１のドリップバッグ用保持具の使用状態を示す平面図である。
【図４】図１のドリップバッグ用保持具の使用状態を示す拡大側面図である。
【図５】保持部材の回動状態を示す平面図である。
【図６】複数のドリップバッグを装着した状態を示す平面図である。
【考案を実施するための形態】
【００１３】
以下、本考案のドリップバッグ用保持具の実施の形態を図面に基づいて説明する。
本考案のドリップバッグ用保持具は、ドリップバッグを保持して、ドリップバッグから飲料用容器内に飲料を抽出するために使用されるものである。
【００１４】
図１および図２に示すように、本考案のドリップバッグ用保持具１は、ドリップバッグＡの係止片ａが係止される枠体２と、枠体２の周囲に配設され、飲料用容器２０の開口部縁部２１に係止される保持部材１０と、を具備するものである。
【００１５】
枠体２は、ドリップバッグＡの係止片ａが係止されるものであり、合成樹脂等の素材からなり、円筒状に形成されている。また、枠体２は、市販のドリップバッグＡを係止できる厚みおよび大きさからなる。
【００１６】
図示するように、枠体２の周囲には、飲料用容器２０の開口部縁部２１に係止される保持部材１０が、回動自在に装着されている。保持部材１０は、枠体２の周囲に装着される回動部１１と、この回動部１１に対し回動自在に装着される保持部材本体１２とからなる。
【００１７】
また、回動部１１は、保持部材本体１２を枠体２に対し回動自在に装着するものであり、図示するように、枠体２の周囲に固着される円筒体１５と、この円筒体１５の内部に摺動自在に配設された軸体１６とからなる。さらに、軸体１６の下部は、保持部材本体１２の上部に固定されている。
【００１８】
保持部材１０は、大きさの異なる飲料用容器の開口部に対応可能な調整機構１３を備えており、調整機構１３は、図示するように、保持部材本体１２の下方に等間隔に形成された複数の凹部１４からなる。
【００１９】
図４（ａ）に示すように、この保持部材１０の凹部１４が飲料用容器２０の開口部縁部２１と係合することで、保持部材１０は飲料用容器２０の開口部縁部２１に係止される。したがって、凹部１４を等間隔に複数設けることで、図示するように、枠体２と同径または大径の飲料用容器２０に対しても、本考案のドリップバッグ用保持具１を自在に装着することが可能となる。
【００２０】
また、保持部材１０は、回動部１１により回動自在に装着されているため、図４（ｂ）に示すように、保持部材１０の向きを変えて、凹部１４の形成箇所が枠体２の内側に位置するものとすることで、枠体２と同径または大径の飲料用容器に限らず、枠体２より小径の飲料用容器２０にも、本考案のドリップバッグ用保持具１を装着することが可能となる。
【００２１】
図３は、大きさの異なる飲料用容器２０Ａ〜２０Ｃに、同じドリップバッグ用保持具１を取り付けた状態を示す平面図であり、（ａ）は、枠体２とほぼ同径の飲料用容器２０に保持部材１０を装着した状態、（ｂ）は、枠体２より大径の飲料用容器２０に保持部材１０を装着した状態、（ｃ）は、保持部材本体１２を回動させて、枠体２より小径の飲料用容器２０に保持部材１０を装着した状態をそれぞれ表す。
【００２２】
また、本考案においては、保持部材１０が回動部１１を備えるために、図５に示すように、軸体１６を中心として保持部材本体１２が回動自在であるので、これにより、飲料用容器の大きさに応じた凹部１４の位置の微妙な調節が可能になるとともに、楕円形や多角形状の容器にも装着することができるという効果が得られる。
【００２３】
本考案においては、上記構成のドリップバッグ用保持具１を飲料用容器２０に装着することで、図２に示すように、ドリップバッグＡの底部分が飲料用容器２０の上部に配設されることになる。そのため、抽出中にドリップバッグＡの底部分が抽出液に浸ることがなく、風味や味わいを低下させることがない。
【００２４】
また、本考案において、保持部材１０は、枠体２に対し、複数個にて配設することが好ましい。例えば、図示するように、枠体２の周囲に、保持部材１０を等間隔で３箇所装着することで、利便性とドリップバッグの安定性とを向上させることができる。
【００２５】
さらに、本考案においては、枠体２を、複数のドリップバッグが保持可能な大きさに形成することが好ましい。例えば、枠体２を大径に形成して、図６に示すように、複数（図中では３個）のドリップバッグＡを装着することで、複数のドリップバッグを一度に抽出することができる。これにより、本考案のドリップバッグ用保持具は、大勢の人が集まるパーティー等において、好適に使用することができる。なお、枠体２の形状は、図示する円筒形に限定されるものではなく、楕円形や多角形、さらには装着するドリップバッグの数量に合わせ、花弁状に形成することも可能である。
【００２６】
次に、本考案のドリップバッグ用保持具の使用方法を図２乃至図５に基づいて説明する。
先ず、ドリップバッグ用保持具１を、飲料用容器２０に装着する。この際には、飲料用容器２０の大きさに応じて保持部材１０の調整機構１３を調節して、凹部１４を飲料用容器２０の開口部縁部２１に係止する。
【００２７】
次に、袋体から市販のドリップバッグＡを取り出し、袋上部を切り離して、係止片ａを枠体２の上部に係止する。この際には、大きさの異なる枠体２を使用することで、飲用する人数に応じた複数のドリップバッグＡを係止することもできる。
【００２８】
ドリップバッグＡを枠体２の上部に係止した後、通常のように、ドリップバッグＡの袋開口部の上部より熱湯を注ぎ、抽出液を飲料用容器２０内に滴下させる。なおこの際には、抽出液の濃度は、注ぎ込む湯量により自在に調節することができる。
【符号の説明】
【００２９】
１  ドリップバッグ用保持具
２  枠体
１０  保持部材
１１  回動部
１２  保持部材本体
１３  調整機構
１４  凹部
１５  円筒体
１６  軸体
２０，２０Ａ〜２０Ｃ  飲料用容器
２１  開口部縁部
Ａ  ドリップバッグ
ａ  係止片
【図１】
0003152662.tif 000003
【図２】
0003152662.tif 000004
【図３】
0003152662.tif 000005
【図４】
0003152662.tif 000006
【図５】
0003152662.tif 000007
【図６】
0003152662.tif 000008